(57)【要約】【課題】ピックアップに塵埃が付着することを防止する上で有利なディスクドライブ装置を提供する。【解決手段】ディスクドライブ装置１００は、筐体１０とトレー１２とを備え、トレー１２は没入位置と突出位置との間で往復移動する。スピンドルモータ１８を挟んで第１のピックアップ２０と第２のピックアップ２２が設けられている。トレー１２には第１の切欠１２０６Ａと第２の切欠１２０６Ｂが形成されている。退避位置に位置する第２のピックアップ２２の上方を覆うようにカバー３０が設けられている。カバー３０にはカバー片３２が設けられ、カバー片３２は、カバー３０の前部でディスク状記録媒体の回転方向の上流側に位置する部分に、第２のピックアップ２２の移動方向と平行する方向に移動可能にかつ突出する方向に付勢された状態で配設されている。【選択図】        図５
2004310933.tif 000002
【特許請求の範囲】
【請求項１】
筐体と、
ディスク状記録媒体またはディスク状記録媒体を収容したディスクカートリッジが載置され、前記筐体の内部に引込まれ記録再生が行なわれる没入位置と、前記筐体の外部に引き出されディスク状記録媒体またはディスクカートリッジの出し入れが行なわれる突出位置との間で移動するトレーと、
前記筐体内に設けられ、前記トレーの没入位置における前記ディスク状記録媒体から離れた退避位置と、前記トレーの没入位置において前記ディスク状記録媒体の下面に臨みディスク状記録媒体に対して情報の記録および／または再生を行なう記録再生位置との間で移動するピックアップとを備え、
前記トレーの底面には、前記ピックアップが該トレーに収容されたディスク状記録媒体に対して情報の記録および／または再生を行なうための切欠が、ディスク状記録媒体の中央部から前記ピックアップの移動軌跡に沿って延在して設けられたディスクドライブ装置において、
前記トレーには、該トレーに収容された前記ディスク状記録媒体の半径方向外側における前記切欠部分を覆い、前記トレーが前記没入位置に位置した状態で前記退避位置に位置する前記ピックアップの上方を覆うカバーが設けられている、
ことを特徴とするディスクドライブ装置。
【請求項２】
前記トレーには、ディスク状記録媒体またはディスク状記録媒体を収容する収容凹部が設けられ、前記情報の記録および／または再生時に前記ディスク状記録媒体を回転させる回転駆動手段が設けられ、前記情報の記録および／または再生時における前記ディスク状記録媒体の回転方向の上流側に位置する前記カバー部分にカバー片が組み込まれ、前記カバー片は、前記収容凹部に臨む前面部を有し、前記カバー片は、前記前面部が前記トレーに収容されたディスクカートリッジの端面に当接して没入する没入位置と、前記前面部が前記トレーに収容されたディスク状記録媒体の外周に臨む突出位置との間で移動可能に、かつ、前記突出位置に位置するように付勢されて配設されていることを特徴とする請求項１記載のディスクドライブ装置。
【請求項３】
前記トレーには、ディスク状記録媒体またはディスク状記録媒体を収容する収容凹部が設けられ、前記情報の記録および／または再生時に前記ディスク状記録媒体を回転させる回転駆動手段が設けられ、前記情報の記録および／または再生時における前記ディスク状記録媒体の回転方向の上流側に位置する前記カバー部分にカバー片が組み込まれ、前記カバー片は、前記収容凹部に臨む前面部と、前記ディスク状記録媒体の回転方向の上流に臨む側部とを有し、前記カバー片は、前記前面部が前記トレーに収容されたディスクカートリッジの端面に当接して没入する没入位置と、前記前面部が前記トレーに収容されたディスク状記録媒体の外周に臨む突出位置との間で移動可能に、かつ、前記突出位置に位置するように付勢されて配設され、前記前面部は前記収容凹部に収容されたディスク状記録媒体の厚さ方向に延在する高さと、前記ディスク状記録媒体の周方向に沿って延在する長さとを有して形成され、前記側部には、前記ディスク状記録媒体の回転時に生じる気流を前記ピックアップからそれた方向に導く気流案内用通路が形成されていることを特徴とする請求項１記載のディスクドライブ装置。
【請求項４】
前記前面部の前記情報の記録および／または再生時における回転方向の下流端における上端に第１の膜体取付部が設けられ、前記第１の膜体取付部は、前記前面部の高さよりも小さい寸法の高さで前記前面部の前記下流端における上端から前記トレーに収容されたディスク状記録媒体の周方向に沿って延在するように形成され、前記第１の膜体取付部に、前記トレーに収容されたディスク状記録媒体の厚さ方向に延在する高さと、前記ディスク状記録媒体の周方向に沿って延在する長さとを有する第１の膜体が取着され、前記第１の膜体は前記ディスク状記録媒体の回転時に生じる気流により撓まない程度の強度を有し、前記第１の膜体により前記前面部に連続する面が構成されていることを特徴とする請求項３記載のディスクドライブ装置。
【請求項５】
前記前面部の前記第１の膜体取り付け部よりも前記トレイに収容されたディスク状記録媒体の半径方向外方に位置する箇所に第２の膜体取付部が設けられ、前記第２の膜体取付部に、前記ディスク状記録媒体の厚さ方向に延在する高さと、前記ディスク状記録媒体の周方向に沿って延在する長さとを有する第２の膜体が取着され、前記第２の膜体は前記ディスク状記録媒体の回転時に生じる気流により撓まない程度の強度を有し、前記第２の膜体は前記第１の膜体に対して前記回転方向の上流側において間隔をおきかつ前記回転方向の下流側において接近するように設けられていることを特徴とする請求項４記載のディスクドライブ装置。
【請求項６】
前記ピックアップは、第１のピックアップと第２のピックアップとして２つ設けられ、前記第１のピックアップの退避位置と前記第２のピックアップの退避位置とは異なった箇所に設けられて第１のピックアップと第２のピックアップは互いに異なった移動軌跡を有し、前記切欠は前記第１のピックアップ用の第１の切欠と前記第２のピックアップ用の第２の切欠として２つ設けられ、前記カバーは、前記第１の切欠または第２の切欠の少なくとも一方の前記切欠部分を覆い前記退避位置に位置する第１のピックアップまたは前記第２のピックアップの少なくとも一方の上方を覆うように設けられていることを特徴とする請求項１記載のディスクドライブ装置。
【請求項７】
前記情報の記録および／または再生時に前記ディスク状記録媒体を回転させる回転駆動手段が設けられ、前記ピックアップは、第１のピックアップと第２のピックアップとして２つ設けられ、前記第１のピックアップの退避位置は前記没入位置から突出位置に向かう方向で前記回転駆動手段を越えた箇所に位置し、前記第２のピックアップの退避位置は、前記突出位置から没入位置に向かう方向で前記回転駆動手段を越えた箇所に位置し、前記第１のピックアップと第２のピックアップは前記トレーの移動方向に沿った同一直線上を通る移動軌跡を有し、前記切欠は、互いに直線状に連続して延在する前記第１のピックアップ用の第１の切欠と前記第２のピックアップ用の第２の切欠とで構成され、前記カバーは、前記第２の切欠の前記切欠部分を覆い前記退避位置に位置する第２のピックアップの上方を覆うように設けられていることを特徴とする請求項１記載のディスクドライブ装置。
【発明の詳細な説明】
【０００１】
【発明の属する技術分野】
本発明は、ディスク状記録媒体に対して情報の記録および／または再生を行なうディスクドライブ装置に関する。
【０００２】
【従来の技術】
ＣＤやＤＶＤなどの光ディスクと、これらＣＤやＤＶＤよりも高密度に情報の記録がなされるＤＶＲ（ブルーレイディスク）との双方に対して記録再生を行うディスクドライブ装置が提供されている（例えば、特許文献１参照）。
ＣＤやＤＶＤに対する記録再生を行う際に用いられる光ビームの波長（例えば６５０ｎｍあるいは６８０ｎｍ）に対して、ＤＶＲに対して記録再生を行う際に用いられる光ビームの波長はより短い波長（例えば４０５ｎｍ）となっている。このため、前記ディスクドライブ装置は、前者の波長の光源を有する第１のピックアップと、後者の波長の光源を有する第２のピックアップとを備えている。
また、上述した波長の関係上、ＤＶＲ上に形成される光スポットの大きさは、ＣＤやＤＶＤに形成される光スポットの大きさに比較して格段に小さいため、ＤＶＲはＣＤやＤＶＤよりも塵埃の影響をより受けやすい。
このため、ＤＶＲは、塵埃の付着を防止するために光ディスクをカートリッジケース内に収容したディスクカートリッジとして構成されている。
【０００３】
【特許文献１】
特開２００３−６７９２０号公報
【０００４】
【発明が解決しようとする課題】
しかしながら、上述したディスクドライブ装置は、ＣＤやＤＶＤに付着した塵埃、ＤＶＲのディスクカートリッジに付着した塵埃が該ディスクドライブ装置内部に飛散されることが避けられない。
前記第２のピックアップの対物レンズに塵埃が付着すると、光ディスクに到達する光量が減少して記録や再生動作に支障を来たしたり、前記光量の減少を補うために過大な駆動電流が第２のピックアップの光源に供給されて前記光源が劣化するなどの不具合を招くおそれがある。
本発明は、このような実状に鑑みなされたものであり、ピックアップに塵埃が付着することを防止する上で有利なディスクドライブ装置を提供することを目的とする。
【０００５】
【課題を解決するための手段】
本発明の光ディスク装置は上記目的を達成するため、筐体と、ディスク状記録媒体またはディスク状記録媒体を収容したディスクカートリッジが載置され、前記筐体の内部に引込まれ記録再生が行なわれる没入位置と、前記筐体の外部に引き出されディスク状記録媒体またはディスクカートリッジの出し入れが行なわれる突出位置との間で移動するトレーと、前記筐体内に設けられ、前記トレーの没入位置における前記ディスク状記録媒体から離れた退避位置と、前記トレーの没入位置において前記ディスク状記録媒体の下面に臨みディスク状記録媒体に対して情報の記録および／または再生を行なう記録再生位置との間で移動するピックアップとを備え、前記トレーの底面には、前記ピックアップが該トレーに収容されたディスク状記録媒体に対して情報の記録および／または再生を行なうための切欠が、ディスク状記録媒体の中央部から前記ピックアップの移動軌跡に沿って延在して設けられたディスクドライブ装置において、前記トレーには、該トレーに収容された前記ディスク状記録媒体の半径方向外側における前記切欠部分を覆い、前記トレーが前記没入位置に位置した状態で前記退避位置に位置する前記ピックアップの上方を覆うカバーが設けられていることを特徴とする。
そのため、ディスクカートリッジやトレーに付着していた塵埃が筐体の内部に飛散した場合、退避位置に位置しているピックアップの上方がカバーによって覆われているので、ピックアップに向かって飛び散った塵埃のピックアップへの付着をカバーにより防止することができる。
【０００６】
【発明の実施の形態】
以下、本発明によるディスクドライブ装置における実施の形態を図面に基づいて説明する。
図１は実施の形態におけるディスクドライブ装置の分解斜視図、図２はディスクドライブ装置の本体の部分斜視図、図３は本体の平面図、図４はトレーが突出位置に位置した状態を示す平面図、図５はトレーが没入位置に位置した状態を示す平面図、図６は図５においてカバーとカバー片を取り去った状態を示す平面図、図７は第１のピックアップが動作位置に位置した状態を示す平面図、図８はディスクカートリッジが収容されたトレーが没入位置に位置した状態を示す平面図、図９はベアディスク状態のディスク状記録媒体が搭載されたトレーが没入位置に位置した状態を示す平面図、図１０はカバー近傍の拡大平面図、図１１は図１０のＡ矢視図、図１２は図１０のＢ矢視図、図１３はディスク状記録媒体の回転によって生じる空気の流れを示す説明図である。
図１４（Ａ）はカバーの組立図、（Ｂ）は（Ａ）の底面図、（Ｃ）は（Ｂ）のＣＣ線断面図である。図１５（Ａ）はカバーの平面図、（Ｂ）は（Ａ）のＢ矢視図、（Ｃ）は（Ａ）のＣＣ線断面図、（Ｄ）は（Ａ）のＤ矢視図、（Ｅ）は（Ａ）のＥ矢視図である。図１６（Ａ）はカバーの底面図、（Ｂ）は（Ａ）のＢ矢視図である。図１７（Ａ）はカバー片の平面図、（Ｂ）は（Ａ）のＢ矢視図、（Ｃ）は（Ａ）のＣＣ線断面図、（Ｄ）は（Ａ）のＤ矢視図、（Ｅ）は（Ａ）のＥ矢視図、（Ｆ）は（Ａ）のＦＦ線断面図である。図１８（Ａ）はカバー片の底面図、（Ｂ）は（Ａ）のＢ矢視図、（Ｃ）は（Ａ）のＣＣ線断面図である。図１９（Ａ）はカバー片を斜め左前方から見た斜視図、（Ｂ）はカバー片を斜め右前方から見た斜視図である。図２０はカバー片を下方から見た斜視図である。図２１（Ａ）は第１の膜体の平面図、（Ｂ）は（Ａ）のＢ矢視図である。図２２（Ａ）は第２の膜体の平面図、（Ｂ）は（Ａ）のＢ矢視図である。
【０００７】
図１に示すように、ディスクドライブ装置１００は、筐体１０とトレー１２とを備え、トレー１２は筐体１０の開口１４０２から筐体１０の内部に引込まれトレー１２に載置されたディスク状記録媒体やディスクカートリッジに対する記録再生が行なわれる没入位置（図５）と、筐体１０の外部に引き出されディスク状記録媒体やディスクカートリッジの出し入れが行なわれる突出位置（図４）との間で往復移動する。
筐体１０は、前後方向の長さが左右用方向の幅に比べて大きい寸法の矩形板状に形成され、この筐体１０の前後方向はトレー１２の移動方向と一致している。
筐体１０は、上面が開放された平面視矩形の本体１４と、本体１４の上面を覆う上板１６と、この上板１６を覆うカバー１７を有している。
本体１４は、前後方向に長手方向を有する矩形状の底壁と、底壁の前後の辺から起立された前壁および後壁と、底壁の左右の辺から起立された２つの側壁とを有し、前記前壁には前記開口１４０２が形成されている。
【０００８】
図２、図３に示すように、本体１４の底壁のほぼ中央には、ディスク状記録媒体を回転する回転駆動手段としてのスピンドルモータ１８が設けられ、スピンドルモータ１８を挟んで第１のピックアップ２０と第２のピックアップ２２が設けられている。
これら第１のピックアップ２０と第２のピックアップ２２はスピンドルモータ１８を挟んで本体１４の前後方向に並べられ、第１のピックアップ２０はスピンドルモータ１８の前方に位置し、第２のピックアップ２２はスピンドルモータ１８の後方に位置している。
より詳細に説明すると、第１のピックアップ２０は、トレー１２が没入位置から突出位置に向かう方向でスピンドルモータ１８を越えた箇所に位置した退避位置（図６）とトレー１２の没入位置においてディスク状記録媒体２Ａの下面に臨む動作位置（図７）との間をガイドレール１４０４に案内され移動可能に構成されている。
第２のピックアップ２２は、トレー１２が突出位置から没入位置に向かう方向でスピンドルモータ１８を越えた箇所に位置した退避位置（図７）と、トレー１２の没入位置においてディスクカートリッジ２Ｂに収容されたディスク状記録媒体の下面に臨む動作位置（図６）との間をガイドレール１４０６に案内され移動可能に構成されている。
そして、第１のピックアップ２０の対物レンズと、スピンドルモータ１８の中心と、第２のピックアップ２２の対物レンズとは、光軸を上方に臨ませた状態で本体１４の前後方向を通る同一直線上に配置されている。
第１、第２のピックアップ２０、２２は、それぞれ光源や受光素子、対物レンズなどを含んで構成され、本実施の形態では、第１のピックアップ２０はＣＤ、ＣＤ−Ｒ、あるいはＤＶＤに対して例えば６５０ｎｍあるいは６８０ｎｍの波長のレーザー光を用いて記録および／または再生を行なうものであり、第２のピックアップ２２は高密度記録用のＤＶＲ（ブルーレイディスク）に対して例えば４０５ｎｍのレーザー光を用いて記録および／または再生を行なうものである。
【０００９】
図１に示すように、スピンドルモータ１８は回転軸を有し、該回転軸の上端には、ディスク状記録媒体の被チャッキング部の下面が載置されるフランジ状のターンテーブル１８０２が回転軸と一体的に回転するように設けられ、ターンテーブル１８０２にはマグネットが組み込まれている。そして、回転軸が上下方向（軸線方向）に移動することにより、ターンテーブル１８０２は、トレーに載置されたディスク状記録媒体（またはトレーに載置されたディスクカートリッジ内のディスク状記録媒体）の被チャッキング部の下面から離間する下方の退避位置と、前記被チャッキング部の下面に当接する上方のチャッキング位置との間を移動するように構成されている。
【００１０】
図１に示すように、トレー１２は、前後方向の長さが左右方向の幅よりも大きい矩形板状に形成され、トレー１２は、図示しない駆動機構および案内機構によって前後方向に移動される。
トレー１２の上面には、矩形状の輪郭を有する第１の凹部１２０２が設けられ、第１の凹部１２０２の底面には、第１の凹部１２０２よりも小さい輪郭の正円状の第２の凹部１２０４が設けられている。第１の凹部１２０２には、ディスク状記録媒体をカートリッジケース内に収容して構成される矩形板状のディスクカートリッジ２Ｂ（図８）が載置され、第２の凹部１２０４には、ベアディスク状態のディスク状記録媒体（図９）が載置されるようになっている。本実施の形態では、第１のピックアップ２０によりベアディスク状態のディスク状記録媒体２Ａ（図９）に対して記録および／または再生がなされ、第２のピックアップ２２によりディスクカートリッジ２Ｂ（図８）に対して記録および／または再生がなされる。
これら第１、第２の凹部１２０２、１２０４の底面には前後方向に延在する切欠１２０６が設けられている。
切欠１２０６は、互いに直線状に連続して延在する第１のピックアップ２０用の第１の切欠１２０６Ａと第２のピックアップ２２用の第２の切欠１２０６Ｂとで構成され、トレー１２が没入位置に位置した状態で、ターンテーブル１８０２は、これら切欠１２０６Ａ、１２０６Ｂが交わる部分に配設され、すなわち切欠１２０６の前後方向の中央部に配設される。
【００１１】
図５に示すように、退避位置に位置する第２のピックアップ２２の上方を覆うようにカバー３０が設けられている。
カバー３０は、第２の切欠１２０６Ｂの後部の幅方向全域を塞ぐようにトレー１２に取着され、より詳細には、カバー３０は、トレー１２に収容されたディスク状記録媒体の半径方向外側における第２の切欠１２０６Ｂ部分を塞ぐように設けられている。本実施の形態では、図８に示すように、カートリッジディスク２Ｂの外側における第２の切欠１２０６Ｂ部分を塞ぐように設けられている。
カバー３０にはカバー片３２が設けられ、カバー片３２は、カバー３０の前部でディスク状記録媒体２Ａの回転方向の上流側に位置する部分に、第２のピックアップ２２の移動方向と平行する方向に移動可能にかつ突出する方向に付勢された状態で配設されている。
【００１２】
更に詳しく説明すると、カバー３０は合成樹脂によって形成され、図１４（Ａ）、（Ｂ）、（Ｃ）、図１５（Ａ）乃至（Ｅ）、図１６（Ａ）、（Ｂ）に示すように、第２の切欠の後部の幅方向全域を塞ぐ大きさのカバー本体３００２と、このカバー本体３００２から突設された取付片３００４とを有している。
カバー３０は、取付片３００４のねじ挿通孔３００５に挿通させたねじをトレー１２に結合することで配設される。
カバー本体３００２の前縁は、トレー１２の第１の凹部１２０２に連続する形状で形成されている。
カバー３０の下面には、図１５（Ｄ）、図１６（Ａ）、（Ｂ）に示すように、カバー片３２を移動可能に支持する一対の案内溝３００６が設けられ、また、これら案内溝３００６の間にカバー片３２を案内する凸条３００８が設けられている。
【００１３】
また、カバー片３２は合成樹脂によって形成され、図１７（Ａ）乃至（Ｆ）、図１８（Ａ）、（Ｂ）、（Ｃ）、図１９（Ａ）、（Ｂ）、図２０に示すように、上面部３２０２と、前面部３２０４と、側部３２０６と、第１の膜体取付部３２１０Ａ、第２の膜体取付部３２１０Ｂとを有している。
上面部３２０２の左右両側には、カバー本体３００２の一対の案内溝３００６にそれぞれ移動可能に挿入されるスライド片３２０８が設けられ、また、カバー本体３００２の凸条３００８に係合する案内溝３２０９が設けられている。
側部３２０６は、ディスク状記録媒体２Ａの回転方向上流側に位置する上面部３２０２箇所に設けられている。
側部３２０６には、ディスク状記録媒体の回転時に生じる空気流を第２のピックアップ２２からそれた方向に導く気流案内用通路３２０６Ａが形成されている。
前面部３２０４は、トレー１２の第１の凹部１２０２の側壁に連続する形状で形成され、前面部３２０４は上面部３２０２および側部３２０６の前部に位置している。
前面部３２０４は、トレー１２に載置されたディスク状記録媒体２Ａの厚さ方向に延在する高さと、ディスク状記録媒体２Ａの周方向に沿って延在する長さとを有して形成されている。
第１の膜体取付部３２１０Ａは、図１７（Ｂ）、図１９（Ａ）、（Ｂ）、図２０に示すように、前面部３２０４よりも小さい寸法の高さで記録および／または再生時におけるディスク状記録媒体２Ａの回転方向の下流端における前面部３２０４の上端からトレー１２に収容されたディスク状記録媒体２Ａの周方向に沿って延在するように形成されている。なお、本実施の形態では、第１の膜体取付部３２１０Ａは、上面部３２０２の前縁で形成されている。
第２の膜体取付部３２１０Ｂは、図１７（Ｆ）に示すように、第１の膜体取付部３２１０Ａよりもトレー１２に収容されたディスク状記録媒体２Ａの半径方向外方に位置する上面部３２０２の上面箇所に設けられている。
【００１４】
第１の膜体３４は、図１１、図２１（Ａ）に示すように、トレー１２に収容されたディスク状記録媒体２Ａの厚さ方向に延在する高さと、ディスク状記録媒体２Ａの周方向に沿って延在する長さとを有し、第１の膜体３４は、図２１（Ａ）に示すように、その上端が両面接着テープ３４０２を介して、図１９（Ａ）、（Ｂ）、図２０、図２１（Ｂ）に示すように、第１の膜体取付部３２１０Ａに取着されている。
この第１の膜体３４は、上面部３２０２の前縁から垂れ下がり、第１の膜体３４により前面部３２０４に連続する面が構成されている。
本実施の形態では、第１の膜体３４は、両面接着テープ３４０２を介して前面部３２０４から第１の膜体取付部３２１０Ａにわたって設けられ、第１の膜体３４が前面部３２０４に臨む箇所にはスリット３４０２が高さ方向に延在して設けられている。
第２の膜体３６は、図１１、図２２（Ａ）に示すように、トレー１２に収容されたディスク状記録媒体２Ａの厚さ方向に延在する高さと、ディスク状記録媒体２Ａの周方向に沿って延在する長さとを有している。
第２の膜体３６は、図２２（Ｂ）に示すように、その上端が両面接着テープ３６０２を介して、図１２、図１７（Ｆ）、図１８（Ｃ）に示すように、上面部３２０２の上面の第２の膜体取付部３２１０Ｂに取着され、スリット３２０２Ａから上面部の下方に垂れ下げられている。
第２の膜体３６は、図２０に示すように、第１の膜体３４に対してディスク状記録媒体２Ａの回転方向の上流側において間隔をおきかつ回転方向の下流側において接近するように設けられている。より詳細には、第１の膜体３４に対してディスク状記録媒体２Ａの回転方向の上流側において間隔をおきかつ回転方向の下流側において前記間隔の寸法が小さくなるように相対的に近づけられて設けられている。
【００１５】
第１の膜体３４と第２の膜体３６は、ディスク状記録媒体の回転時に生じる気流により撓まない程度の強度を有した材料で形成され、例えば、薄い合成樹脂製のテープなどを用いることができる。
本実施の形態では、第１の膜体３４は、その下端が退避位置に位置する第２のピックアップ２２のケースの前部上面に当接するように配設されている。
また、第２の膜体３６は、その下端が退避位置に位置する第２のピックアップ２２のケースの前部上面に接触し、図１２に示すように、第２の膜体３６が下方に向かうにつれて第１の膜体３４に近接するように、すなわち、ターンテーブル１８０２側に近接するように傾斜して配設されている。
【００１６】
次に、カバー３０に対するカバー片３２の組み付けについて説明する。
図１４（Ａ）、（Ｃ）に示すように、カバー片３２の後部に突出された巻装軸３２１２にコイルばね３２１４を巻装し、該コイルばね３２１４をカバー３０のばね収容部３０１０に収容するとともに、カバー３０の一対の案内溝３００６にカバー片３２のスライド片３２０８をそれぞれ挿入し、かつ、カバー３０の凸条３００８をカバー片３２の案内溝３２０９に挿入する。
そして、カバー片３２をカバー３０に向けて押込み、図１７（Ａ）、（Ｄ）、（Ｆ）に示すカバー片３２の係合凸部３２１４を、図１６（Ａ）に示すカバー３０のカバー本体３００２の係合凸部３０１２を乗り越えさせる。
これにより、カバー片３２は、第２のピックアップ２２の移動方向と平行する方向に移動可能にかつコイルばね３２１４によって突出する方向に付勢されて配設され、カバー片３２は、前面部３２０４がトレー１２に収容されたディスクカートリッジ２Ｂの端面に当接して没入する没入位置と、前面部３２０４がトレー１２に収容されたディスク状記録媒体の外周に臨む突出位置との間で移動する。なお、カバー片３２の突出位置は、係合部３２１４と係合部３０１２が互いに係合することによって決定されている。
このようにしてカバー片３２が組付けられたカバー３０をトレー１２へ組付ける。すなわち、カバー３０の取付片３００４のねじ挿通孔３００５に挿通させたねじをトレー１２に結合することでカバー３０をトレー１２に取着する。
【００１７】
次に、筐体１０の組み立てについて説明する。
図４に示すように、上板１６の中央部には、前後方向に延在する開口１６０４が形成され、アーム２４はこの開口１６０４の内側に上下に揺動可能に配設されている。
アーム２４の前部には合成樹脂製のホルダが設けられ、このホルダの下面に、マグネットに吸着される鉄などの磁性材料から形成された被取着部材２６が配設されている。
図１に示すように、カバー１７は本体１４の上面開口を覆う大きさの上面１７０２と、上面の左右両側および後部から垂設された側面１７０４とを備えている。
カバー１７の上面１７０２には、収容凹部１７０８が形成されており、アーム２４の前部が収容凹部１７０８内に収容されるように構成されている。
カバー１７は、上板１６が前記上面開口に挿入された本体１４の上から被せられ、カバー１７は、側面１７０４のねじ挿通孔１７０６に挿通されたねじを本体１４の側壁のねじ孔に螺合することで取着され、これにより筐体１０が組み立てられる。
【００１８】
次に、第１のピックアップの記録再生時の動作について説明する。
図９、図１０に示すように、第２の凹部１２０４にベアディスク状態のディスク状記録媒体２Ａが載置されたトレー１２が突出位置から没入位置に移動し、ターンテーブル１８０２が退避位置からチャッキング位置に移動することにより、ディスク状記録媒体２Ａのチャッキング部の下面がターンテーブル１８０２に載置された状態で上方に移動される。これにより、被吸着部材２６がチャッキング部を挟んでターンテーブル１８０２のマグネットに吸着されるので、ディスク状記録媒体の被チャッキング部がターンテーブル１８０２と被吸着部材２６によって挟持された状態となる。
この状態でスピンドルモータ１８が駆動されてターンテーブル１８０２が回転すると、ディスク状記録媒体は被吸着部材２６とともに回転駆動され、第１のピックアップ２０により第１の切欠１２０６Ａを介してディスク状記録媒体に対する情報の記録および／または再生がなされる。
その後、ターンテーブルがチャッキング位置から退避位置に戻り、トレー１２が没入位置から突出位置に戻る。
【００１９】
次に、第２のピックアップの記録再生時の動作について説明する。
図８に示すように、第１の凹部１２０４にディスクカートリッジ２Ｂが載置されたトレー１２が突出位置から没入位置に移動し、ターンテーブル１８０２が退避位置からチャッキング位置に移動することにより、ディスクカートリッジ２Ｂのディスク状記録媒体のチャッキング部の下面にターンテーブル１８０２が接触する。また、このとき、アーム２４に設けられている被吸着部材２６がディスク状記録媒体の被チャッキング部を挟んでターンテーブル１８０２のマグネットに吸着されることによりディスク状記録媒体がチャッキングされる。
この状態でスピンドルモータ１８が駆動されてターンテーブル１８０２が回転すると、前記ディスク状記録媒体は被吸着部材とともに回転駆動され、第２のピックアップ２２により第２の切欠１２０６Ｂを介して前記ディスク状記録媒体に対する情報の記録および／または再生がなされる。
その後、ターンテーブル１８０２がチャッキング位置から退避位置に戻り、トレー１２が没入位置から突出位置に戻る。
【００２０】
次に、カバー３０およびカバー片３２の作用、効果について説明する。
ディスクカートリッジ２Ｂがトレー１２に収容された場合には、図８に示すように、ディスクカートリッジ２Ｂの端面によってカバー片３２の前面部３２０４が突出位置から没入位置に移動される。
この状態で、カバー３０は、その前縁がトレー１２の第１の凹部１２０２の側面に連続して延在し、カバー片３２の前面部３２０４はトレー１２に収容されたディスクカートリッジ２Ｂの端部に当接し、カバー片３２は没入位置に位置している。
この状態でトレー１２が突出位置から没入位置に移動され、あるいは、ターンテーブル１８０２が退避位置とチャッキング位置の間で動くと、振動が発生し、この振動がディスクカートリッジ２Ｂやトレー１２に伝達されることによってディスクカートリッジ２Ｂやトレー１２に付着していた塵埃が筐体１０の内部に飛散する。
ここで、退避位置に位置している第２のピックアップ２２の上方はカバー３０と、没入位置に位置しているカバー片３２によって覆われているので、第２のピックアップ２２に向かって飛び散った塵埃の第２のピックアップ２２への付着をカバー３０およびカバー片３２により防止することができる。
したがって、第２のピックアップ２２の対物レンズに塵埃が付着することによって、ディスク状記録媒体に到達する光量が減少して記録や再生動作に支障を来たしたり、前記光量の減少を補うために過大な駆動電流が第２のピックアップ２２の光源に供給されて前記光源が劣化するなどの不具合を防止する上で有利となる。
【００２１】
また、ベアディスク状態のディスク状記録媒体２Ａがトレー１２に収容された場合には、図１０に示すように、カバー片３２の前面部３２０４は突出位置に位置した状態となる。
この状態で、カバー３０の前縁とディスク状記録媒体の外周部との間には若干の隙間が形成されている。また、カバー片３２の前面部３２０４は突出位置に位置しており、前面部３２０４とディスク状記録媒体２Ａの外周部との間には、カバー３０の前縁とディスク状記録媒体２Ａの外周部との間の隙間よりも小さい寸法の隙間が形成されている。
この状態でトレー１２の突出位置から没入位置への移動や、ターンテーブル１８０２の退避位置とチャッキング位置との間での動きによって振動が発生すると、ディスク状記録媒体やトレー１２に付着していた塵埃が筐体１０の内部で飛散する。
ここで、退避位置に位置している第２のピックアップ２２の上方はカバー３０と、没入位置に位置しているカバー片３２によって覆われているので、第２のピックアップ２２に向かって飛び散った塵埃の第２のピックアップ２２への付着をカバー３０およびカバー片３２により防止することができる。
したがって、この場合においても、第２のピックアップ２２の対物レンズに塵埃が付着することによって生じる不具合を防止する上で有利となる。
【００２２】
次に、図１３に示すように、ベアディスク状態のディスク状記録媒体２Ａがトレー１２に収容された状態でトレー１２が没入位置に移動され、該ディスク状記録媒体２Ａがターンテーブル１８０２によってチャッキングされ矢印Ｘ方向に回転駆動されると、図１３に示すように、ディスク状記録媒体の回転によって空気流が発生する。ただし図１３ではカバー３０の図示を省略している。
このような空気流が発生すると、トレー１２やディスク状記録媒体２Ａに付着していた塵埃が空気流によって筐体１０内部に飛散する。
ここで、図１０、図１１、図１２に示すように、突出位置に位置するカバー片３０には、第１の膜体３４および第２の膜体３６が設けられているため、退避位置に位置する第２のピックアップ２２に向かって飛び散った塵埃の第２のピックアップ２２への付着を第１の膜体３４および第２の膜体３６により防止することができる。
また、前記空気流のうち第２のピックアップ２２に向かう空気流は、前面部３２０４に取着された第１の膜体３４によって退避位置に位置する第２のピックアップ２２から外れた方向（矢印Ｆ１方向）に導かれるとともに、気流案内用通路３２０６Ａによっても第２のピックアップ２２から外れた方向（矢印Ｆ２方向）に導かれる。したがって、塵埃を含んだ空気流が第２のピックアップ２２を外れた方向に向かって流れるため、塵埃の第２ピックアップ２２への付着を防止する上で有利となる。
したがって、第２のピックアップ２２の対物レンズに塵埃が付着することによって生じる不具合を防止する上で有利となる。
なお、本実施の形態では、前面部３２０４から第１の取付部３２１０Ａにわたって第１の膜体３４を設けた関係上、前面部３２０４に臨む第１の膜体３４部分にスリット３４０２を設けている。これにより、第１の膜体３４の下端が第２のピックアップ２２のケース上面に当接した場合、第１の膜体３４の下端が撓むことにより前記ケース上面に隙間なく接触するので、塵埃が第２のピックアップ２２の方向に侵入することを防止する上で有利となる。
また、図１０に示すように、第２の膜体３６が第１の膜体３４に対してディスク状記録媒体２Ａの回転方向の上流側において間隔をおきかつ前記回転方向の下流側において接近するように設けられているので、第１の膜体３４の裏側に入り込んだ空気流を第２のピックアップ２２を外れた方向に向かって案内するので塵埃の第２ピックアップ２２への付着を防止する上で有利となる。
また、図１２に示すように、第２の膜体３６が下方に向かうにつれて第１の膜体３４に近接するように傾斜して配設されることにより、第２のピックアップ２２に向かう塵埃を第２の膜体３６によってより効果的に阻止することができ、塵埃の第２ピックアップ２２への付着を防止する上で有利となる。
【００２３】
なお、本実施の形態では、ピックアップが第１、第２の２つのピックアップ２０，２２から構成された場合について説明したが、本発明はピックアップが１つの場合にも無論適用される。
また、本実施の形態では、第１、第２の２つの膜体３４、３６を用いた場合について説明したが、一つの膜体を用いたい場合にもピックアップへの塵埃の付着を防止する上で有利となる。
また、２つのピックアップを用いる場合、トレー１２における２つのピックアップ用の切欠１２０６Ａ、１２０６Ｂは、直線状に連続する必要はなく、斜めに交差するものであってもよい。
【００２４】
【発明の効果】
以上説明したように本発明によれば、ピックアップに塵埃が付着することを防止する上で有利なディスクドライブ装置を提供することができる。
【図面の簡単な説明】
【図１】実施の形態におけるディスクドライブ装置の分解斜視図である。
【図２】ディスクドライブ装置の本体の部分斜視図である。
【図３】本体の平面図である。
【図４】トレーが突出位置に位置した状態を示す平面図である。
【図５】トレーが没入位置に位置した状態を示す平面図である。
【図６】図５においてカバーとカバー片を取り去った状態を示す平面図である。
【図７】第１のピックアップが動作位置に位置した状態を示す平面図である。
【図８】ディスクカートリッジが収容されたトレーが没入位置に位置した状態を示す平面図である。
【図９】ベアディスク状態のディスク状記録媒体が搭載されたトレーが没入位置に位置した状態を示す平面図である。
【図１０】カバー近傍の拡大平面図である。
【図１１】図１０のＡ矢視図である。
【図１２】図１０のＢ矢視図である。
【図１３】ディスク状記録媒体の回転によって生じる空気の流れを示す説明図である。
【図１４】（Ａ）はカバーの組立図、（Ｂ）は（Ａ）の底面図、（Ｃ）は（Ｂ）のＣＣ線断面図である。
【図１５】（Ａ）はカバーの平面図、（Ｂ）は（Ａ）のＢ矢視図、（Ｃ）は（Ａ）のＣＣ線断面図、（Ｄ）は（Ａ）のＤ矢視図、（Ｅ）は（Ａ）のＥ矢視図である。
【図１６】（Ａ）はカバーの底面図、（Ｂ）は（Ａ）のＢ矢視図である。
【図１７】（Ａ）はカバー片の平面図、（Ｂ）は（Ａ）のＢ矢視図、（Ｃ）は（Ａ）のＣＣ線断面図、（Ｄ）は（Ａ）のＤ矢視図、（Ｅ）は（Ａ）のＥ矢視図、（Ｆ）は（Ａ）のＦＦ線断面図である。
【図１８】（Ａ）はカバー片の底面図、（Ｂ）は（Ａ）のＢ矢視図、（Ｃ）は（Ａ）のＣＣ線断面図である。
【図１９】（Ａ）はカバー片を斜め左前方から見た斜視図、（Ｂ）はカバー片を斜め右前方から見た斜視図である。
【図２０】カバー片を下方から見た斜視図である。
【図２１】（Ａ）は第１の膜体の平面図、（Ｂ）は（Ａ）のＢ矢視図である。
【図２２】（Ａ）は第２の膜体の平面図、（Ｂ）は（Ａ）のＢ矢視図である。
【符号の説明】
１００……ディスクドライブ装置、２Ａ……ディスク状記録媒体、２Ｂ……ディスクカートリッジ、１０……筐体、１２……トレー、１８……スピンドルモーター、１８０２……ターンテーブル、２０……第１のピックアップ、２２……第２のピックアップ、３０……カバー、３２……カバー片、３４……第１の膜体、３６……第２の膜体、１２０６Ａ……第１の切欠、１２０６Ｂ……第２の切欠。
【図１】
2004310933.tif 000003
【図２】
2004310933.tif 000004
【図３】
2004310933.tif 000005
【図４】
2004310933.tif 000006
【図５】
2004310933.tif 000007
【図６】
2004310933.tif 000008
【図７】
2004310933.tif 000009
【図８】
2004310933.tif 000010
【図９】
2004310933.tif 000011
【図１０】
2004310933.tif 000012
【図１１】
2004310933.tif 000013
【図１２】
2004310933.tif 000014
【図１３】
2004310933.tif 000015
【図１４】
2004310933.tif 000016
【図１５】
2004310933.tif 000017
【図１６】
2004310933.tif 000018
【図１７】
2004310933.tif 000019
【図１８】
2004310933.tif 000020
【図１９】
2004310933.tif 000021
【図２０】
2004310933.tif 000022
【図２１】
2004310933.tif 000023
【図２２】
2004310933.tif 000024